(57)【要約】【課題】小型，コンパクトな構造で所要の絶縁を確保できるように改良した高圧回路用抵抗器ユニットの組立構造を提供する。【解決手段】個々の抵抗器３が、周面に抵抗線６を巻装した絶縁管５の両端に絶縁体を介して金属製の取付座を組み付け、その相互間にボルト９を通して一体に締結した組立構造になり、直列接続した抵抗器を対地間用の絶縁碍子１１を介して高圧盤の盤フレーム１２に取り付けて構築した高電圧用の抵抗器ユニットにおいて、渡りリード線１３ａを介して直列接続する２基の抵抗器の間を単体部品になる連結取付座１４を介して相互連結した上で、該連結取付座と抵抗器の中間電位側の端子との間を電位固定線１５で導通接続して各取付座７，７ａの電位が全てに中間電位となるようにし、さらに各抵抗器の両端に配した絶縁体について、連結取付座と反対側端には高電圧仕様の絶縁体７を、連結取付座側には沿面距離の小さな低電圧仕様の絶縁体７ａを採用して抵抗線／取付座間を絶縁する。【選択図】        図１
2006164999.tif 000002
【特許請求の範囲】
【請求項１】
制御盤などの盤内に装備した高圧回路用の抵抗器ユニットであり、個々の抵抗器が、周面に抵抗線を巻装した絶縁管の両端に絶縁体を介して金属製の取付座を組み付け、その相互間にボルトを通して一体に締結した組立構造になり、該抵抗器の複数基を並置し、かつその相互間を直列に配線して高電圧回路に接続した上で、絶縁碍子を介して盤のフレームに取り付けたものにおいて、
直列接続する抵抗器の相互間を単体部品になる連結取付座を介して相互連結した上で、該連結取付座を抵抗器の直列回路における中間電位部に導通接続したことを特徴とする高圧回路用の抵抗器ユニット。
【請求項２】
請求項１記載の抵抗器ユニットにおいて、抵抗器の締結ボルトと中間電位側の抵抗線端子との間を、電位固定線を介して導通接続したことを特徴とする高圧回路用の抵抗器ユニット。
【請求項３】
請求項１記載の抵抗器ユニットにおいて、抵抗器の両端に組み付けた絶縁体のうち、連結取付座と反対側端には高電圧仕様の絶縁体を、連結取付座側には低電圧仕様の絶縁体を組み付けたことを特徴とする高圧回路用の抵抗器ユニット。
【請求項４】
請求項１ないし３のいずれかに記載の抵抗ユニットにおいて、各抵抗器の取付座および連結取付座を全て共通な取付基板に固定した上で、絶縁碍子を介して盤のフレームに取り付けたことを特徴とする高圧回路用の抵抗器ユニット。
【発明の詳細な説明】
【技術分野】
【０００１】
本発明は、例えばインバータ装置に適用する電力用コンデンサの放電抵抗として高圧盤の盤内に設置する高圧回路用の抵抗器ユニットに関する。
【背景技術】
【０００２】
まず、本発明の抵抗器ユニットの用途例として高圧回路に接続した電力用コンデンサと放電抵抗との接続回路を図３に、また前記回路の放電抵抗に用いる抵抗器の組立構造，および複数基の抵抗器を組み合わせて構成した従来の抵抗器ユニットを図４，図５に示す。なお、配電盤（制御盤）の盤内に抵抗器ユニットを配備した例として、例えば特許文献１が知られている。
図３において、１は高圧回路、２はコンデンサ、３は放電用の抵抗器、４は複数基の抵抗器３で構成した抵抗器ユニットであり、図示例の抵抗器ユニット４は、合計１０基の抵抗器３を２基ずつ直列に接続して５組に分けた上で、各組を並列接続して抵抗器ユニットを構成している。なお、図示例では高圧回路１の電圧を１５００Ｖとして、その１／２の電圧（７５０Ｖ）を各基の抵抗器３が分担している。
【０００３】
ここで、前記抵抗器３の構造は、図４で示すようにセラミックスなどの絶縁管５の外周面に抵抗線６を巻装した上で、絶縁管５の両端には絶縁体７を挟んでＬ字形になる金属製の取付座８を組み付け、さらに絶縁管５に通した締め付けボルト９で絶縁管５と左右両端の絶縁体７，取付座８を一体に締結した組立構造になる。なお、１０は抵抗線６の巻き始め，巻き終わり両端に接続した外部接続用の端子である。
そして、前記の抵抗器３を２基ずつ直列に接続して高圧盤内に抵抗器ユニット４を構築するには、図５のように個々の抵抗器３ごとに、対地間用の絶縁碍子１１を介して両端の取付座８を高圧盤の天井フレーム（アース電位）１２に支持した上で、各抵抗器３の端子にリード線１３および渡りリード線１３ａを配線して図３の接続回路を形成している。
【特許文献１】特開平９−３１２９１０号公報
【発明の開示】
【発明が解決しようとする課題】
【０００４】
ところで、図５に示した従来構成の抵抗器ユニットでは次記のような問題点ある。すなわち、直列接続する抵抗器３の各基ごとにその両端に設けた取付座８を絶縁碍子１１を介して盤フレーム１２に絶縁支持していることから、抵抗器ユニットの構築に使用する絶縁碍子１１の個数も抵抗器３の直列接続数に対応して多くなる。
また、抵抗器３の絶縁管５の両端と取付座８との間に介挿した絶縁体７には、その絶縁強度として抵抗線６（充電部）に加わる電圧に対応した耐電圧，沿面距離が要求される。したがって、図５の構成になる抵抗器ユニット４を図３の高圧回路１に接続して使用する場合には、その回路電圧に相応した大きな沿面距離を有する高電圧仕様の絶縁体７を抵抗器３の両端に組み付ける必要があり、そのために抵抗器３が大形サイズとなる。
一方、この抵抗器ユニットを収容する高圧盤はできるだけ小型であることが望まれるのに対して、図５の構成のままでは限られた盤内スペースに設置する抵抗器ユニットの占有サイズが大きく、そのユニットの小型，コンパクト化が求められている。
【０００５】
本発明は上記の点に鑑みなされたものであり、前記課題の対応策として従来よりも小型，コンパクトな構造で所要の絶縁を確保できるように改良した高圧回路用の抵抗器ユニットの組立構造を提供することを目的とする。
【課題を解決するための手段】
【０００６】
上記目的を達成するために、本発明によれば、個々の抵抗器が、周面に抵抗線を巻装した絶縁管の両端に絶縁体を介して金属製の取付座を組み付け、その相互間にボルトを通して一体に締結した組立構造になり、該抵抗器の複数基を並置し、かつその相互間を直列に配線して高電圧回路に接続した上で、絶縁碍子を介して高圧盤のフレームに取り付けた高電圧用の抵抗器ユニットにおいて、
直列接続する抵抗器の間を単体部品になる連結取付座を介して相互連結した上で、該連結取付座を直列接続した抵抗器の中間電位に導通接続するものとし（請求項１）、具体的には次記のような態様で構成する。
（１）前記抵抗器の締結ボルトと中間電位側の抵抗線端子との間を、電位固定線を介して導通接続する（請求項２）。
（２）前記抵抗器の両端に配した絶縁体について、連結取付座と反対側端には高電圧仕様の絶縁体を、連結取付座側には低電圧仕様の絶縁体を組み付ける（請求項３）。
（３）前記の取付座および連結取付座を全て共通な取付基板に固定した上で、絶縁碍子を介して盤のフレームに取り付ける（請求項４）。
【発明の効果】
【０００７】
上記の構成によれば、直列に連ねて高圧回路に接続した各基の抵抗器について、その絶縁管の両端に絶縁体を介してボルト結合した取付金具は全て同電位で、直列抵抗の中間電位（抵抗器の直列数が２基であれば回路電圧の半分の電圧）が加わることになる。したがって、抵抗器の直列数が２基である抵抗器ユニットについて見れば、連結取座と反対側端に配した絶縁体は、前記の中間電位に相応した電圧（回路電圧の半分の電圧）を分担する絶縁強度を要するが、連結取付座側に配した絶縁体は、該絶縁体を挟んでその両側に対峙する充電部（抵抗線の端子）と連結取付金具とが導通接続されているので理論的には分担する絶縁強度が必要ない。
したがって、連結取付座側に配した絶縁体は抵抗器の組立部品としてボルト締結に要する機械的強度を有すれば十分であり、汎用抵抗器に付属されている低電圧仕様の絶縁体をそのまま使用できる。しかも、２基の抵抗器の間に跨がって連結取付座が取り付けられているので、各基の抵抗器を個別に絶縁碍子を介して盤のフレームに取り付けた従来構造（図５参照）と比べて絶縁碍子の使用個数も少なくて済み、その結果として抵抗器ユニット全体を小型，コンパクトなサイズに構成することができる。
【０００８】
また、上記の構成に加えて、各抵抗器の取付座および連結取付座を全て共通な取付基板に固定した上で、絶縁碍子を介して盤のフレームに取り付けた請求項４の構成によれば、対地間の絶縁碍子の使用数をさらに削減できる。
【発明を実施するための最良の形態】
【０００９】
以下、本発明の実施の形態を図１，および図２に示す実施例に基づいて説明する。なお、各実施例の図中で図４，図５に対応する部材には同じ符号を付してその詳細な説明は省略する。
【実施例１】
【００１０】
図１（ａ），（ｂ）において、抵抗器ユニット４を構成する抵抗器３の配列，接続は従来例と同様であるが、図示実施例においては、左右列に並べて直列接続する抵抗器について、左側に並ぶ抵抗器３の右端部と右側に並ぶ抵抗器の３の左端部との間がＵ字形の連結取付座１４を介して相互連結されており、この連結取付座１４およびユニット両端に位置する取付座８が絶縁碍子１１を介して盤のフレーム１２に絶縁支持されている。
また、上記の連結状態で抵抗器３の絶縁管５に通して連結取付座１４と反対側端の取付座８との間を締結したボルト９と、左列の抵抗器３おける右側端子１０（この端子の電位は、図３の回路における回路電圧（１５００Ｖ）の中間電位（７５０Ｖ）である）との間が電位固定線１５を介して導通接続されている。これにより、連結取付座１４にボルト９を介して導通しているユニット両端の取付座８も全て同じ中間電位となる。
【００１１】
さらに、各基の抵抗器３における絶縁管５の両端に配した絶縁体について、連結取付座１４と反対側の絶縁体７は図５の例と同様な絶縁強度を有する高圧仕様の絶縁体が使用されているのに対して、連結取付座１４と絶縁管５との間に介挿した絶縁体７ａには前記絶縁体７に比べて沿面距離が短い低電圧仕様の絶縁体を使用している。
上記の構成によれば、図５の従来例と比べて抵抗器ユニットの長さサイズが縮小し、また絶縁碍子１１の使用数も少なくてなって高圧盤内に設置する抵抗器ユニットの占有スペースが小さくて済む。
【実施例２】
【００１２】
次に、本発明の請求項４に係わる実施例の構成を図２に示す。この実施例は先記実施例１の組立構造を基本として、左右に並べて直列接続した抵抗器３の取付座７および連結取付座１４を共通な取付基板１６に一括して固定した上で、この取付基板１６の両端に配した絶縁碍子１１を介して盤フレーム１２に一括して絶縁支持するようにしている。
この構成によれば、図１の実施例に比べて絶縁碍子１１の使用個数をさらに削減できるほか、抵抗器ユニットを単体として取り扱うことができて高圧盤への組み込みが簡単に行える。
【図面の簡単な説明】
【００１３】
【図１】本発明の実施例１に係わる抵抗器ユニットの構成図で、（ａ）は側視断面図、（ｂ）はユニット全体の平面図
【図２】本発明の実施例２に係わる抵抗器ユニットの組立構造を示す側視断面図
【図３】コンデンサの放電抵抗として高圧回路に接続した抵抗器ユニットの回路図
【図４】図３における抵抗器の単体構造を表す断面図
【図５】図４の抵抗器を直列接続して構築した抵抗器ユニットの従来例の構成図
【符号の説明】
【００１４】
３    抵抗器
４    抵抗器ユニット
５    絶縁管
６    抵抗線
７，７ａ  絶縁体
８    取付座
９    締結ボルト
１０    端子
１１    絶縁碍子
１２    高圧盤の盤フレーム
１３，１３ａ  リード線
１４    連結取付座
１５    電位固定線
１６    取付基板
【図１】
2006164999.tif 000003
【図２】
2006164999.tif 000004
【図３】
2006164999.tif 000005
【図４】
2006164999.tif 000006
【図５】
2006164999.tif 000007